(57)【特許請求の範囲】
【請求項１】
試料中の脂質の網羅的解析方法であって、
試料を、逆相液体クロマトグラフィーに供すること；
該クロマトグラフィーに供した試料を、エレクトロスプレーイオン化と大気圧化学イオン化の両方を誘起するマルチイオン源によるイオン化に供すること；ならびに、
該イオン化に供した試料を質量分析にかけて、セラミド、遊離脂肪酸、コレステロール及び硫酸コレステロールを検出すること、
を含む、方法。
【請求項２】
前記質量分析によるセラミドの検出が負イオンモードで行われる、請求項１記載の方法。
【請求項３】
前記質量分析による遊離脂肪酸及び硫酸コレステロールの検出が負イオンモードで行われ、コレステロールの検出が正イオンモードで行われる、請求項２記載の方法。
【請求項４】
前記試料がテープストリッピング法により得られた皮膚角質層の溶媒抽出液である、請求項１〜３のいずれか１項記載の方法。
【請求項５】
前記イオン化を、酢酸、酢酸アンモニウム、ギ酸及びギ酸アンモニウムからなる群より選択される少なくとも１種のイオン化促進剤の存在下で行う、請求項１〜４のいずれか１項記載の方法。
【発明の詳細な説明】
【技術分野】
【０００１】
本発明は、試料中の多様な脂質を網羅的に解析する方法に関する。
【背景技術】
【０００２】
角質層は表皮の最表面に位置し、皮膚のバリア機能や保湿機能に寄与している。角質層を構成する角質細胞の間には、細胞間脂質が存在し、この細胞間脂質の層と水分子の層が交互に規則正しく何層も重なりあう「ラメラ構造」を形成することで、角質層の働きを支えている。ヒト角質層の細胞間脂質は、主にセラミド、コレステロール、遊離脂肪酸、硫酸コレステロールなどから構成されている。ヒト角質層のセラミドは、従来、皮膚のバリア機能や保湿機能に関与する主因子として報告されている。セラミド以外の細胞間脂質についても、皮膚機能との関連が報告されている。
【０００３】
特許文献１には、液体クロマトグラフィー（ＬＣ）−質量分析（ＭＳ）法により、被験者の皮膚角質層のセラミド分子を網羅解析し、その解析で得られた情報を元に被験者の肌質を評価する方法が開示されている。特許文献２には、ＬＣ−ＭＳ法などで取得した被験体におけるセラミド組成の情報から、アトピー性皮膚炎傾向等の肌質を判断する方法が開示されている。
【０００４】
非特許文献１〜２には、順相液体クロマトグラフィー（ＮＰＬＣ）−エレクトロスプレーイオン化質量分析（ＥＳＩ−ＭＳ）法により、被験者の皮膚角質層のセラミド分子を網羅解析したことが開示されている。非特許文献３〜４には、ＮＰＬＣ−ＥＳＩ−ＭＳ法で得られたヒト皮膚角質層のセラミド分子プロファイルが、アトピー性皮膚炎や、皮膚機能の状態と相関性を有していたことが開示されている。非特許文献５には、逆相液体クロマトグラフィー（ＲＰＬＣ）−ＥＳＩ−ＭＳ法により毛髪セラミドを定量したことが開示されている。
【０００５】
非特許文献６には、ＲＰＬＣ−大気圧光イオン化質量分析（ＡＰＰＩ−ＭＳ）法により、セラミド等の角質層スフィンゴ脂質を検出したことが開示されている。非特許文献７には、ＮＰＬＣ−大気圧化学イオン化質量分析（ＡＰＣＩ−ＭＳ）法により、皮膚角質層のセラミドを網羅的に解析したことが開示されている。非特許文献８には、ＮＰＬＣ−ＡＰＣＩ−ＭＳ法によるセラミドとコレステロールの検出と、ＲＰＬＣ−ＡＰＣＩ−ＭＳ法による遊離脂肪酸の検出とを組み合わせることによって、角質層脂質を網羅的に解析したことが開示されている。
【０００６】
近年、ＥＳＩとＡＰＣＩによるイオン化を同時に、又はほぼ同時に誘起するイオン源（以下、マルチイオン源とも称する）が開発されている（例えば、非特許文献９）。しかし、このようなＥＳＩとＡＰＣＩの双方の原理を兼ね備えたマルチイオン源を使用する際の検出感度は、一般的には各イオン源を専用で用いた場合よりも劣る。
【０００７】
また一般に、ＮＰＬＣは、親水性相互作用（極性基や構造基本骨格）に応じた分離挙動を示すため、夾雑成分の影響を受けにくい反面、イオン性化合物の分離には不向きであり、多様な脂質の分離への適用は困難である。一方、ＲＰＬＣは、一般的に疎水性相互作用（疎水基）に応じた分離挙動を示すため、基本的に疎水基を有する多様な脂質の分離に適用できる反面、夾雑成分の影響を受ける可能性が高い。そのため、ＲＰＬＣでは通常、試料から夾雑成分を除去するための煩雑な前処理が必要である。
【０００８】
したがって、従来の高速液体クロマトグラフィー（ＬＣ）−質量分析（ＭＳ）法においては、解析対象成分の構造又は化学的特性に応じて、逆相又は順相によるＬＣ分離と、ＥＳＩ又はＡＰＣＩによるＭＳ検出とを適宜組み合わせて使用することが一般的である。例えば、角質層脂質の主成分である遊離脂肪酸、硫酸コレステロール、コレステロール、セラミドの分析の場合、各々ＬＣ分離及びＭＳ検出におけるイオン化条件が異なり、しかも他の角質層成分や角層剥離テープの粘着成分などが夾雑物となるため、これら全てを同時にＬＣ−ＭＳ分析することは極めて困難である。従来の角質層脂質の網羅解析では、非特許文献８に開示されるように、解析対象成分ごとに別個の条件でＬＣ分離及びイオン化されていた。
【先行技術文献】
【特許文献】
【０００９】
【特許文献１】特開2007-108060号公報
【特許文献２】特開2008-261741号公報
【非特許文献】
【００１０】
【非特許文献１】Journal of Lipid Research, 2008, 49:1466-1476.
【非特許文献２】Journal of Lipid Research, 2009, 50:1708-1718.
【非特許文献３】Journal of Investigative Dermatology, 2010, 130:2511-2514.
【非特許文献４】Archives of Dermatological Research, 2013, 305:151-162.
【非特許文献５】Lipids, 2007, 42:275-290.
【非特許文献６】Journal of Chromatography A, 2006, 1133:58-68.
【非特許文献７】Journal of Lipid Research, 2011, 52:1211-1221.
【非特許文献８】Biochimica et Biophysica Acta, 2014, 1841:70-79.
【非特許文献９】Chromatography,2006, 27:81-84.
【発明の概要】
【発明が解決しようとする課題】
【００１１】
本発明は、皮膚や毛などの多様な脂質を含む試料中に含まれる脂質、例えば、セラミド、遊離脂肪酸、コレステロール、硫酸コレステロールなどを一度に検出することができる、脂質の網羅的解析方法に関する。
【課題を解決するための手段】
【００１２】
本発明者らは、種々検討した結果、脂質を含む試料を、まとめて逆相液体クロマトグラフィーにより分離した後、ＥＳＩとＡＰＣＩによるイオン化を誘起するマルチイオン源を備えた質量分析装置にかけることによって、該試料中のセラミド、遊離脂肪酸、コレステロール及び硫酸コレステロールなどの、従来は別々のＬＣ−ＭＳ分析で検出されていた各種脂質を一度に検出することができることを見出した。
【００１３】
すなわち、本発明は、試料中の脂質の網羅的解析方法であって、
試料を、逆相液体クロマトグラフィーに供すること；
該クロマトグラフィーに供した試料を、エレクトロスプレーイオン化と大気圧化学イオン化の両方を誘起するマルチイオン源によるイオン化に供すること；ならびに、
該イオン化に供した試料を質量分析にかけて、セラミド、遊離脂肪酸、コレステロール及び硫酸コレステロールを検出すること、
を含む方法を提供する。
【発明の効果】
【００１４】
本発明によれば、一度のＬＣ−ＭＳ分析で、多様な脂質を含む試料中の脂質の網羅的解析が可能になる。とりわけ、本発明によれば、従来は別々のＬＣ−ＭＳ分析で検出しなければならなかった試料中の脂質、例えば、セラミド、遊離脂肪酸、コレステロール及び硫酸コレステロールなどを、一度のＬＣ−ＭＳ分析でまとめて検出することができる。本発明の方法は、皮膚や毛の脂質解析に好適である。本発明の方法による解析結果は、肌質や髪質の状態の評価に応用することができる。
【図面の簡単な説明】
【００１５】
【図１】本発明の脂質の網羅的解析方法に基づく脂質の網羅的解析システムの一例を概略的に示すブロック図。
【図２】角質層試料の多段抽出イオンクロマトグラム。Ａ−ａ：前腕試料の負イオンモード検出、Ａ−ｂ：前腕試料の正イオンモード検出、Ｂ−ａ：頬試料の負イオンモード検出、Ｂ−ｂ：頬試料の正イオンモード検出。ＣＥＲｓ：セラミド、ＦＦＡｓ：遊離脂肪酸、ＣｈＳＯ４：硫酸コレステロール、ＣＨＯＬ：コレステロール。
【発明を実施するための形態】
【００１６】
本発明は、試料中の脂質の網羅的解析方法を提供する。本発明の方法に適用される試料は、解析の標的とする脂質を含有する可能性のある試料であれば特に限定されない。試料の好ましい例としては、ヒトや動物などの生物の生体や死体から採取した皮膚、皮膚角質層、毛、臓器、血液、体液、及びそれらから再構成した細胞や組織などが挙げられ、より好ましくは、生体から切除、削剥又は剥離した皮膚角質層や毛が挙げられ、さらに好ましくは、テープストリッピング法によって採取した皮膚角質層が挙げられる。該テープストリッピング法に用いる角層剥離テープの粘着成分は、特に限定されないが、好ましくはアクリル系ポリマーである。
【００１７】
上記試料は、クロマトグラフィー分離の前に溶媒抽出に供され、脂質を含む溶媒抽出液へと調製される。溶媒抽出のための溶媒には、標的脂質の溶解性が高く、かつ好ましくは、テープストリッピングに用いたテープやその粘着成分が溶解し難い溶媒を用いる。好ましい溶媒の例としては、メタノール、エタノール、イソプロパノールなどが挙げられる。さらに、脂質解析が夾雑成分の影響を受ける可能性がある場合、夾雑物を除去するための前処理を試料に施してもよい。あるいは、上記試料から脂質を含む溶媒抽出液を調製する方法として、生体試料から脂質成分を分離精製するための公知の手法、例えば、Ｂｌｉｇｈ  ａｎｄ  Ｄｙｅｒ法やＦｏｌｃｈ法を適用することができる。しかし、本発明の方法では上記前処理や複雑な分離精製手順は必要なく、上記溶媒抽出液をそのまま逆相液体クロマトグラフィーにかけても、十分な精度のデータを得ることができる。
【００１８】
本発明の脂質の網羅的解析方法では、上記手順で調製した試料をクロマトグラフィー分離する。より詳細には、上記手順で調製した溶媒抽出液を、逆相液体クロマトグラフィー（ＲＰＬＣ）に供する。本発明の方法では、従来の解析法のように、標的脂質ごとに試料を分けたり、それらを別個にＮＰＬＣとＲＰＬＣに供する必要はなく、全ての試料を同じ条件でクロマトグラフィー分離すればよい。
【００１９】
ＲＰＬＣ用の充填剤としては、シリカゲルやポリマーゲル基材に炭化水素鎖を結合した充填剤が挙げられる。好ましくは、シリカゲル基材にオクタデシル基を結合した充填剤（ＯＤＳ又はＣ１８充填剤とも称する）が挙げられる。
【００２０】
クロマトグラフィーの溶離液は、標的脂質を適度に保持して分子種別に分離することが可能であり、かつ不揮発性の酸や塩を高濃度に含まないものが好ましい。例えば、溶離液ａはメタノール/水の混合液、溶離液ｂはイソプロパノールとし、溶離液ａとｂで１００：０〜０：１００（体積比）のグラジエントをかけることができる。
【００２１】
次いで、上記クロマトグラフィーに供した試料を、質量分析のためのイオン化に供する。好ましくは、該イオン化は、イオン化促進剤の存在下で行われる。イオン化促進剤は、質量分析の正イオンモードで［Ｍ＋Ｈ］+、［Ｍ＋Ｈ−Ｈ2Ｏ］+などが高感度に検出され、負イオンモードで［Ｍ−Ｈ］-、［Ｍ＋ＨＣＯＯ］-、［Ｍ＋ＣＨ3ＣＯＯ］-などが高感度に検出されるように、該イオン化の際の標的脂質のイオン化効率を向上させる物質である。イオン化促進剤の例としては、ギ酸、酢酸、及びそれらの塩（例えば、ギ酸アンモニウム、酢酸アンモニウム）からなる群より選択される少なくとも１種が挙げられる。イオン化促進剤は、上記クロマトグラフィー分離で得られた溶出液に添加されてもよいが、上述したクロマトグラフィー用の溶離液に添加されてもよい。
【００２２】
本発明の方法においては、上記クロマトグラフィーに供した試料は、一度に、エレクトロスプレーイオン化（ＥＳＩ）と、大気圧化学イオン化（ＡＰＣＩ）の両方のイオン化に供される。これにより、試料中の標的脂質分子を、その極性や構造特異性にかかわらずイオン化することができる。試料を一度にＥＳＩとＡＰＣＩの両方に供するには、該試料を、ＥＳＩとＡＰＣＩの両方を同時に、又はほぼ同時に誘起するイオン源（すなわち、マルチイオン源）によるイオン化に供すればよい。例えば、当該マルチイオン源を備えた質量分析装置に試料を導入すればよい。なお、本明細書において、「ＥＳＩとＡＰＣＩを同時に、又はほぼ同時に誘起するイオン源」又は「マルチイオン源」とは、ＥＳＩとＡＰＣＩを同時に行う複合イオン化法を実行できるか、又はＥＳＩとＡＰＣＩそれぞれの単独イオン化法をデッドタイム無く切換えて実行可能であり、それによって、１回の質量分析でＥＳＩとＡＰＣＩにより生成されたイオンを同時に検出することができるように試料をイオン化することができるイオン源を意味している。このようなマルチイオン源は、マルチモードイオンソース、デュアルイオンソース、ＥＳＣｉマルチモードイオン源、デュオスプレーイオンソース、ハイブリッドイオン源などと称され、Ａｇｉｌｅｎｔ  Ｔｅｃｈｎｏｌｏｇｉｅｓ、島津製作所、Ｗａｔｅｒｓ  Ｃｏｒｐｏｒａｔｉｏｎ、ＡＢ  Ｓｃｉｅｘ、株式会社日立ハイテクノロジーズなどから販売又は公開されている（例えば、米国特許第６６４６２５７号、国際公開公報第２００３／１０２５３７号、国際公開公報第２００７／０３２０８８号、国際公開公報第２０１４／０８４０１５号）。  
【００２３】
上記の手順でＥＳＩとＡＰＣＩの両方に供されイオン化された試料中の脂質分子は、質量分析にかけられる。質量分析には、四重極型質量分析装置（Ｑ−ＭＳ）、飛行時間型質量分析装置（ＴＯＦ−ＭＳ）、イオントラップ型質量分析装置（ＩＴ−ＭＳ）、フーリエ変換型質量分析装置（ＦＴ−ＭＳ）等のシングル型の質量分析装置、Ｑ−ＴＯＦ、ＩＴ−ＴＯＦ等のハイブリッド型質量分析装置、又はトリプル四重極型等のタンデム質量分析装置（ＭＳ／ＭＳ等）などの公知の質量分析装置を用いることができる。質量分析におけるイオン化された脂質分子の検出は、正イオンモード及び負イオンモードのいずれで行ってもよく、標的脂質分子種に応じて正又は負のイオンモードを選択すればよい。例えば、遊離脂肪酸及び硫酸コレステロールは負イオンモード、コレステロールは正イオンモードで検出することが好ましい。セラミドは、正負いずれのイオンモードでも検出することができるが、夾雑物の影響を回避するためには負イオンモードで検出することが好ましい。
【００２４】
上記セラミドのような正負いずれのイオンモードでも検出することができる分子の場合、一般的には感度面で優位な正イオンモードが使用される。しかし、夾雑物の影響を回避するためには負イオンモードでの検出が望ましい。負イオンモードで高感度に検出するためには、上述したイオン化促進剤を使用し、負イオンモードでの標的分子のイオン化効率を向上させることが望ましい。
【００２５】
上記ＥＳＩとＡＰＣＩによるイオン化と質量分析により、試料中の脂質が網羅的に検出される。より詳細には、本発明の方法によれば、試料中の極性及び非極性の脂質をともに一度の質量分析で検出することができる。本発明の脂質の網羅的解析方法のための標的脂質の好ましい例としては、皮膚角質層の細胞間脂質及び毛の内在性脂質が挙げられる。より好ましくは、標的脂質は、少なくともセラミド、遊離脂肪酸、コレステロール及び硫酸コレステロールであり得る。
【００２６】
質量分析にかけられたイオン化された脂質分子は、質量数／電荷（ｍ／ｚ）ごとに分離され、検出される。検出された分子種はｍ／ｚに基づいて同定することができるが、好ましくは、特許文献１に開示される手法に基づいて同定される。この手法は、要約すると、以下のとおりである：まず、脂質含有試料をクロマトグラフィー分離し、質量分析装置でイオン化して検出した後、質量分析装置から出力されるデータから、クロマトグラフィーでのピークの保持時間と、質量分析で計測したｍ／ｚ及びイオン強度に基づいて３軸に展開した多段抽出イオンクロマトグラムを作成する。次いで、予め準備した標的脂質のピークの保持時間とｍ／ｚに関するデータベースを探索することで、多段抽出イオンクロマトグラム上の各ピークを形成する脂質分子種を同定する。
【００２７】
同定した脂質を定量解析する場合、各脂質の抽出イオンクロマトグラム上でのピーク面積を測定し、比較すればよい。より正確な定量解析のためには、クロマトグラフィーでのピークの保持時間や、質量分析で計測したｍ／ｚ又はイオン強度のデータを内部標準によって校正することが好ましい。例えば、上述した試料の溶媒抽出液に既知濃度の内部標準物質を添加し、該内部標準物質のピーク面積に対する各脂質のピーク面積の比を求めることにより、各脂質を定量することができる。内部標準物質の例としては、セラミドについてはＮ−Ｈｅｐｔａｄｅｃａｎｏｙｌ−Ｄ−ｅｒｙｔｈｒｏ−Ｓｐｈｉｎｇｏｓｉｎｅ（Ｃ１７：０−Ｃｅｒａｍｉｄｅ）、遊離脂肪酸についてはＡｒａｃｈｉｄｉｃ  Ａｃｉｄ−ｄ３９、コレステロールについてはＣｈｏｌｅｓｔｅｒｏｌ−ｄ７、硫酸コレステロールについてはＳｏｄｉｕｍ  ｅｉｃｏｓｙｌ  ｓｕｌｆａｔｅを挙げることができる。
【００２８】
さらに精密な定量が必要な場合、各脂質分子種の絶対検量線を作成することができる。該検量線に基づいて、対応する脂質分子種の絶対量を算出することができる。例えば、セラミドを定量する場合、全セラミド分子の標準品を準備してそれらの絶対検量線を作成し、該絶対検量線に基づいて、試料中に含まれる各種セラミド分子の絶対量を算出することができる。
【００２９】
さらに、定量された脂質の量を、採取された試料の量、例えば皮膚、角質層又は毛の面積や重量、細胞数、タンパク質量などで除することにより、試料の特定量又は面積あたりに含まれる各脂質の量を算出することができる。
【００３０】
本発明による脂質の網羅的解析方法で取得された試料中の脂質組成（種類や量など）の情報を用いて、該試料やそれが由来する生物の状態を評価することができる。例えば、試料がヒト皮膚や毛である場合、試料中の脂質組成から、該ヒトの肌質や髪質を評価することができる。より詳細な例として、肌質の評価の手順を以下に説明する。まず、ヒト集団から、本発明の方法により、皮膚の角質層中のセラミド、遊離脂肪酸、コレステロール、硫酸コレステロールなどの脂質組成（種類や量）を取得し、該脂質組成と彼らの肌質（例えば、普通肌、乾燥肌、脂性肌、保湿力に劣る肌、バリア機能に劣る肌、ニキビができやすい肌、スケーリングが生じやすい肌、紅斑が生じやすい肌、乾癬患者の肌質、アトピー性皮膚炎患者の肌質、など）との関連付けデータを作成する。次いで、本発明の方法により、被験者の皮膚の角質層中のセラミド、遊離脂肪酸、コレステロール、硫酸コレステロールなどの脂質組成（種類や量）を取得する。上記ヒト集団より得た脂質組成と肌質との関連付けデータに基づいて、該被験者より得た脂質組成からその肌質を評価することができる。好ましくは、本発明の方法により取得した脂質組成に加えて、必要に応じて他の皮膚の性状（経皮水分蒸散量、水分量、外観等）も参照する。これによって、肌質をより正確に評価することが可能となる。同様の手順で、髪質（例えば化学処理によるダメージ度など）を評価することが可能である。
【００３１】
以下、図面を参照して、本発明による脂質の網羅的解析方法の一実施形態を説明する。
【００３２】
図１は、本発明の脂質の網羅的解析方法に適用される解析システムの一例を概略的に示すブロック図である。システム１は、液体クロマトグラフ１０、質量分析装置２０、及び演算装置３０を備える。
【００３３】
液体クロマトグラフ１０は、溶離液ａ、ｂを送液するグラジエントポンプ１１ａ及び１１ｂ、試料溶液ｃを導入するオートインジェクター１２、及び分離カラム１３を備えている。試料溶液ｃには、好ましくは、上述した試料の溶媒抽出液を用いる。溶離液ａ、ｂは上述したとおりであり、ポンプ１１ａ及び１１ｂがそれらの濃度勾配を調整する。分離カラム１３には、上述したクロマトグラフィー充填剤が充填されている。
【００３４】
液体クロマトグラフ１０により、試料溶液ｃ中の標的脂質を分離することができる。液体クロマトグラフ１０で分離された標的脂質は、後段の質量分析装置２０に導入される。
【００３５】
質量分析装置２０は、イオン化装置２１と質量分離検出装置２２を備える。液体クロマトグラフ１０で分離された標的脂質がイオン化装置２１に導入され、ここで該混合溶液中の脂質分子がイオン化される。
【００３６】
イオン化装置２１は、ＥＳＩとＡＰＣＩの両方を同時に、又はほぼ同時に誘起するマルチイオン源（いわゆる、マルチモードイオンソース、デュアルイオンソース、ＥＳＣｉマルチモードイオン源、デュオスプレーイオンソース、ハイブリッドイオン源など）を備える。イオン化装置２１において、混合溶液中の脂質は、一度にＥＳＩとＡＰＣＩの両方のイオン化に供され、イオン化される。
【００３７】
質量分離検出装置２２は、イオン化装置２１で生成したイオンをｍ／ｚごとに分離し、検出する。質量分離検出装置２２は、上述したシングル型、ハイブリッド型、又はタンデム型の質量分析装置であり得る。
【００３８】
上記の液体クロマトグラフ１０及び質量分析装置２０としては、これらが一体になった市販の液体クロマトグラフィー−質量分析装置を使用することができる。
【００３９】
演算装置３０は、質量分析装置２０からの出力データに基づいて抽出イオンクロマトグラムを作成する演算手段を備える。好ましくは、演算装置３０は、液体クロマトグラフ１０におけるピークの保持時間と、質量分析装置２０で検出されたｍ／ｚ及びイオン強度とを３軸に展開して多段抽出イオンクロマトグラムを作成する演算手段を有する。また好ましくは、演算装置３０は、各標的脂質分子種の保持時間やｍ／ｚに関するデータベース（図１中に図示せず）にアクセス可能であり、かつ、上記演算手段により作成された多段抽出イオンクロマトグラム上の各ピークを形成する脂質分子種を、該データベースに基づいて同定する比較演算手段を備えている。さらに、演算装置３０は、上記演算手段で作成した抽出イオンクロマトグラム及び/又は上記比較演算手段で同定した脂質分子種を所望の形式で出力し表示する表示手段を備えていることが好ましい。
【００４０】
例えば、演算装置３０は、上記演算手段及び／又は比較演算手段による演算を実行するためのソフトウェアがインストールされており、かつ質量分析装置２０からの出力データや演算結果を記憶するメモリ、及び演算結果を表示するディスプレイを備えた計算機である。上記データベースは、演算装置３０内に常時保存されていてもよいが、普段は演算装置の外部の記憶媒体やハードディスクに保存されており、必要に応じてネットワークを介して呼び出されてもよい。
【００４１】
本発明の例示的実施形態として、さらに以下の組成物、製造方法、用途あるいは方法を本明細書に開示する。但し、本発明はこれらの実施形態に限定されない。
【００４２】
＜１＞試料中の脂質の網羅的解析方法であって、
試料を、逆相液体クロマトグラフィーに供すること；
該クロマトグラフィーに供した試料を、エレクトロスプレーイオン化と大気圧化学イオン化の両方を誘起するマルチイオン源によるイオン化に供すること；ならびに、
該イオン化に供した試料を質量分析にかけて、セラミド、遊離脂肪酸、コレステロール及び硫酸コレステロールを検出すること、
を含む、方法。
【００４３】
＜２＞上記試料が、好ましくは生体から切除、削剥又は剥離した皮膚角質層や毛であり、より好ましくは、テープストリッピング法により得られた皮膚角質層である、＜１＞記載の方法。
【００４４】
＜３＞好ましくは、上記テープストリッピング法に用いる角層剥離テープの粘着成分がアクリル系ポリマーである、＜２＞記載の方法。
【００４５】
＜４＞好ましくは、上記試料が、上記クロマトグラフィーに供する前に溶媒抽出に供され、脂質を含む溶媒抽出液へと調製される、＜１＞〜＜３＞のいずれか１項記載の方法。
【００４６】
＜５＞好ましくは、上記溶媒がメタノール、エタノール、又はイソプロパノールである、＜４＞記載の方法。
【００４７】
＜６＞好ましくは、上記イオン化を、酢酸、酢酸アンモニウム、ギ酸及びギ酸アンモニウムからなる群より選択される少なくとも１種のイオン化促進剤の存在下で行う、＜１＞〜＜５＞のいずれか１項記載の方法。
【００４８】
＜７＞好ましくは、上記イオン化促進剤が上記クロマトグラフィーの溶離液に添加される、＜６＞記載の方法。
【００４９】
＜８＞好ましくは、上記イオン化が、ＥＳＩとＡＰＣＩによるイオン化を同時に、又はほぼ同時に誘起するマルチイオン源を備えた質量分析装置により行われる、＜１＞〜＜７＞のいずれか１項記載の方法。
【００５０】
＜９＞好ましくは、上記質量分析による検出が正イオンモード及び負イオンモードで行われ、より好ましくは、コレステロールが正イオンモードで検出され、かつ遊離脂肪酸、硫酸コレステロール及びセラミドが負イオンモードで検出される、＜１＞〜＜８＞のいずれか１項記載の方法。
【００５１】
＜１０＞好ましくは、上記質量分析により角質層の細胞間脂質が検出される、＜１＞〜＜９＞のいずれか１項記載の方法。
【実施例】
【００５２】
以下、実施例を示し、本発明をより具体的に説明する。
【００５３】
（１）皮膚角質層の採取及び脂質の抽出
健常男性の前腕及び頬に、フィルムマスキングテープ（寺岡製作所／４６５＃４０、２．５ｃｍ幅×３ｃｍ長）を１０秒間押し付けた。この作業を同一箇所で連続３回繰り返すことで皮膚角質層を採取した（採取面積＝７．５ｃｍ2×３枚）。
【００５４】
（２）試料溶液の調製
角質層を採取したテープを５ｍＬスクリュー管（商品名：マルエム／Ｎｏ．２）内でメタノール溶液１．９ｍＬに浸漬させ、室温で１０分間超音波処理し、脂質を抽出した。次いで、このスクリュー管に、内部標準物質混合液〔セラミド群の内部標準物質としてＣ１７：０−Ｃｅｒａｍｉｄｅ（Ａｖａｎｔｉ  Ｐｏｌａｒ  Ｌｉｐｉｄｓ，Ｉｎｃ．）、遊離脂肪酸群の内部標準物質としてＡｒａｃｈｉｄｉｃ  Ａｃｉｄ−ｄ３９（Ｃａｍｂｒｉｄｇｅ  Ｉｓｏｔｏｐｅ  Ｌａｂｏｒａｔｏｒｉｅｓ，Ｉｎｃ．）、コレステロールの内部標準物質としてＣｈｏｌｅｓｔｅｒｏｌ−ｄ７（Ａｖａｎｔｉ  Ｐｏｌａｒ  Ｌｉｐｉｄｓ，Ｉｎｃ．）、及び硫酸コレステロールの内部標準物質としてのＳｏｄｉｕｍ  ｅｉｃｏｓｙｌ  ｓｕｌｆａｔｅ（Ｓｉｇｍａ−Ａｌｄｒｉｃｈ）の混合溶液〕１００μＬを加え、試料溶液を調製した。
【００５５】
（３）ＬＣ−ＭＳ分析
（２）で調製した試料溶液を、下記の条件下でＬＣ−ＭＳ分析し、各種脂質（セラミド、遊離脂肪酸、コレステロール及び硫酸コレステロール）の検出及び定量を行った。
（装置）
ＬＣ／１１００シリーズ、質量分析計／Ｇ１９５６Ｂ  シングル四重極（Ａｇｉｌｅｎｔ  Ｔｅｃｈｎｏｌｏｇｉｅｓ）
（クロマトグラフィー分離）
分離カラム：Ｌ−ｃｏｌｕｍｎ  ＯＤＳ  ２．１ｍｍ内径×１５０ｍｍ、粒径５μｍ（４０℃）
溶離液ａ：５ｍｍｏｌ／Ｌ酢酸・１０ｍｍｏｌ／Ｌ酢酸アンモニウム含有メタノール／水＝１／１（ｖ／ｖ）
溶離液ｂ：５ｍｍｏｌ／Ｌ酢酸・１０ｍｍｏｌ／Ｌ酢酸アンモニウム含有２−プロパノール
グラジエント：溶離液ｂ  ２０％（０ｍｉｎ）→２０％（１ｍｉｎ）→６０％（２ｍｉｎ）→１００％（３０ｍｉｎ）→１００％（３５ｍｉｎ）
移動相流速：０．２ｍＬ／ｍｉｎ
平衡化時間：１０ｍｉｎ
注入量：２０μＬ
（質量分析）
イオン化法：マルチモードイオンソース（ＥＳＩ／ＡＰＣＩ）
極性：正イオン及び負イオン
チャージング電圧：２０００Ｖ
キャピラリー電圧：２０００Ｖ（正イオン）、４０００Ｖ（負イオン）
ベーポライザー温度：２００℃
ネブライザー圧力：６０ｐｓｉｇ
乾燥ガス温度：３５０℃
乾燥ガス流量：４Ｌ／ｍｉｎ
（検出モード）
セラミド：酢酸イオンが付加された分子（［Ｍ＋ＣＨ3ＣＯＯ］-）を負イオンモードでＳＩＭ検出
遊離脂肪酸：脱プロトン化分子（［Ｍ−Ｈ］-）を負イオンモードでＳＩＭ検出
硫酸コレステロール：金属イオン、又はプロトンイオンが脱離した分子（例えば［Ｍ−Ｎａ］-）を負イオンモードでＳＩＭ検出
コレステロール：プロトン化し脱水された分子（［Ｍ＋Ｈ−Ｈ2Ｏ］+）を正イオンモードでＳＩＭ検出
【００５６】
（４）データ解析
得られたデータを、保持時間とｍ／ｚとイオン強度の３軸を有する多段抽出イオンクロマトグラムに展開した。図２の多段抽出イオンクロマトグラムに示されるように、本発明の解析方法により、セラミド、遊離脂肪酸、コレステロール及び硫酸コレステロールが検出された。
【符号の説明】
【００５７】
１    解析システム
１０    液体クロマトグラフ
１１ａ、１１ｂ    グラジエントポンプ
１２    オートインジェクター
１３    分離カラム
２０    質量分析装置
２１    イオン化装置
２２    質量分離検出装置
３０    演算装置
ａ、ｂ  溶離液
ｃ      試料溶液
【図１】
0006368254.tif 000002
【図２】
0006368254.tif 000003